(57)【要約】【課題】    埃っぽさの再現を高精度で実現し、主観評価や器械的評価を容易に行うことができる塵埃官能評価装置を提供する。【解決手段】  略ボックス状を呈し、上面部３と透明な板体によって堆積評価部４ａを構成する底面部４との間に、周囲を覆うように、各側面部５…が、４枚設けられて、一辺が、１ｍに設定されることより、内部容積を１平方ｍとする略立方体形状の官能評価室６が形成されている。  この官能評価室６の側面部５，５には、頭部挿入孔８，８が、このボックス状筐体２内空間と外部空間７とを連通させるように形成されている。  そして、官能評価者の頭部を、外部空間７側から、ボックス状筐体２内の官能評価室６内へ、この頭部挿通孔８から挿通して官能評価が行われる。【選択図】図１
2006119043.tif 000002
【特許請求の範囲】
【請求項１】
一定容積の空間を仕切り官能評価室を形成するボックス状筐体と、該ボックス状筐体内空間と外部空間とを連通させて、官能評価者の頭部を、外部空間から、前記ボックス状筐体内の官能評価室内へ挿入可能な頭部挿入孔とを有し、前記官能評価者の主観により、前記官能評価室内の官能評価を行うと共に、前記官能評価室の下方には、落下した塵埃を堆積させて、評価を行う堆積評価部を設けたことを特徴とする塵埃官能評価装置。
【請求項２】
前記頭部挿通孔は、前記ボックス状筐体の側面部に形成されると共に、該ボックス状筐体内空間と前記外部空間との間を開閉塞可能な蓋体が設けられると共に、前記官能評価室内空間と、前記堆積評価部との間には、開閉可能な板体を有する塵埃堆積遮断手段が設けられていることを特徴とする請求項１記載の塵埃官能評価装置。
【請求項３】
前記官能評価室内の空気を攪拌させる攪拌手段を設ける攪拌手段設置部を有することを特徴とする請求項１又は２記載の塵埃官能評価装置。
【発明の詳細な説明】
【技術分野】
【０００１】
この発明は、本発明は、埃の付着を逃がすことなく、埃っぽさの評価を定量的に容易に行うことができる装置を提供するものである。
【背景技術】
【０００２】
従来、埃の評価技術としては、住宅の塵埃による汚染を評価したり、クリーンルーム内において空気中の塵埃量等を計測し、その空間での評価がされている（例えば、特許文献１，２等参照）。
【０００３】
また、論文「省清掃住宅に関する研究」には、よごれと明度差の関係が記載されている（例えば、非特許文献１等参照）。
【０００４】
次に、この従来の塵埃官能評価の作用について説明する。
【０００５】
従来の塵埃官能評価では、散水及び乾燥を繰り返して、塵埃が堆積した状態が、再現される。
【０００６】
また、透光性の基板の裏面側から塵埃測定装置による測定が行われることにより、塵埃の飛来を妨げるものを無くして、正確な塵埃測定が行われるようにしている。
【特許文献１】特開２０００−１８６９９５号公報（段落００１２乃至００２０、図１乃至図３）
【特許文献２】特開平８−３２７５２８号公報（段落００２３乃至００４８、図１乃至図５）
【非特許文献１】宇野，「省清掃住宅に関する研究」，研究年報Ｎｏ．１９，財団法人住宅総合研究財団，１９９３年３月３１日，ｐ．３２７−３３６
【発明の開示】
【発明が解決しようとする課題】
【０００７】
しかしながら、このような従来の塵埃官能評価では、空気中を浮遊する塵埃を再現することが出来ない。
【０００８】
このため、住宅内の居室のいわゆる「埃っぽさ」を測定することが出来なかった。
【０００９】
また、塵埃の存在量は、空間全体では、バラツキがあって、このバラツキが、評価精度を低下させる要因となっていた。
【００１０】
そこで、この発明は、埃っぽさの再現を高精度で実現し、主観評価や器械的評価を容易に行うことができる塵埃官能評価装置を提供することを課題としている。
【課題を解決するための手段】
【００１１】
上記目的を達成するために、請求項１に記載された発明は、一定容積の空間を仕切り官能評価室を形成するボックス状筐体と、該ボックス状筐体内空間と外部空間とを連通させて、官能評価者の頭部を、外部空間から、前記ボックス状筐体内の官能評価室内へ挿入可能な頭部挿入孔とを有し、前記官能評価者の主観により、前記官能評価室内の官能評価を行うと共に、前記官能評価室の下方には、落下した塵埃を堆積させて、評価を行う堆積評価部を設けた塵埃官能評価装置を特徴としている。
【００１２】
また、請求項２に記載されたものは、前記頭部挿通孔は、前記ボックス状筐体の側面部に形成されると共に、該ボックス状筐体内空間と前記外部空間との間を開閉塞可能な蓋体が設けられると共に、前記官能評価室内空間と、前記堆積評価部との間には、開閉可能な板体を有する塵埃堆積遮断手段が設けられている請求項１記載の塵埃官能評価装置を特徴としている。
【００１３】
更に、請求項３に記載されたものは、前記官能評価室内の空気を攪拌させる攪拌手段を設ける攪拌手段設置部を有する請求項１又は２記載の塵埃官能評価装置を特徴としている。
【発明の効果】
【００１４】
このように構成された本願発明の請求項１記載のものは、前記ボックス状筐体に形成された前記頭部挿入孔から、官能評価者が、頭部を、該ボックス状筐体内の官能評価室内へ挿入することにより、該官能評価室内の空気中に浮遊する塵埃の官能評価を行う。
【００１５】
また、前記堆積評価部に落下した塵埃を、堆積させて、器械的な測定装置を用いて評価を行う。
【００１６】
例えば、堆積した塵埃を、明度差により測定する測定装置を用いて測定することにより、前記官能評価者による官能評価と同時に、測定装置による定量測定を、同一被測定対象に対して容易に行える。このため、官能評価と定量測定との比較等も出来、測定精度を向上させることができる。
【００１７】
また、請求項２に記載されたものは、前記頭部挿通孔に設けられた前記蓋体を用いて、該頭部挿通孔を閉塞すると、外部の空間から、前記官能評価室内の空間が、隔離される。
【００１８】
該官能評価室内の空間の塵埃は、前記下方の堆積評価部に落下して堆積する。
【００１９】
このように、前記塵埃堆積遮断手段を開放して、前記官能評価室内空間内の塵埃を、前記堆積評価部に向けて落下させる際にも、外部との空気の流通が遮断されているので、官能評価室内外で塵埃の出入りが無く、更に、正確に、被測定対象を、前記官能評価者による官能評価時と一致させることができる。
【００２０】
よって、更に、比較等を行う際の測定精度を向上させることができる。
【００２１】
更に、請求項３に記載されたものは、前記攪拌手段設置部に設置される攪拌手段によって、前記官能評価室内の空気が攪拌されることにより、浮遊する塵埃の密度を、前記官能評価室内で、略均等とすることができる。
【００２２】
このため、前記官能評価者の頭部の挿入位置に拘わらず、略均等な官能評価を行わせることができる。
【００２３】
しかも、前記官能評価室は、前記ボックス状筐体によって、前記外部空間と隔離されているので、前記攪拌手段による攪拌が行われても、前記官能評価室内の塵埃の量は変わることがない。
【００２４】
従って、更に、容易に前記官能評価者による官能評価を行わせることができる。
【発明を実施するための最良の形態】
【００２５】
次に、図面に基づいて、この発明を実施するための最良の実施の形態の塵埃官能評価装
置を説明する。
【００２６】
図１及び図２は、この発明の実施の形態の塵埃官能評価装置を説明するものである。
【００２７】
まず、構成を説明すると、この発明の実施の形態の塵埃官能評価装置１は、略ボックス状のボックス状筐体２によって、概略構成されている。
【００２８】
このボックス状筐体２には、概ね一辺が１ｍに設定され、内部容積を１平方ｍとする略立方体形状の官能評価室６が形成されている。官能評価室６は、主に、上面視略正方形形状を呈する上面部３と、この上面部３と一定間隔を上下方向に設けて、平行に配置されて、透明な板体によって堆積評価部４ａを構成する底面部４との間に、周囲を覆うように、各側面部５…が、４枚設けられて構成されている。
【００２９】
この官能評価室６の前記側面部５，５には、このボックス状筐体２内空間と外部空間７とを連通させて、図示省略の官能評価者の頭部を、外部空間７側から、前記ボックス状筐体２内の官能評価室６内へ挿入可能な頭部挿入孔８，８が、直交する２つの側面部５，５に形成されている。
【００３０】
この実施の形態の前記頭部挿入孔８は、丸孔状で、内径を前記官能評価者の頭部が挿抜可能な大きさで、しかも、頭部の周囲と、この頭部挿入孔８の内周縁との間隙が大きくなり過ぎて、塵埃がこの隙間から流出入しないように、適宜、設定されている。
【００３１】
また、この実施の形態の前記頭部挿入孔８，８には、軸部９ａを回動中心とする回動により、前記ボックス状筐体２内空間と前記外部空間７との間を開閉塞可能な蓋体９，９が、各々設けられている。  
【００３２】
そして、この頭部挿通孔８から前記官能評価室６内へ頭部を挿入した前記官能評価者の主観により、前記官能評価室６内の官能評価が行われるように構成されている。
【００３３】
更に、この実施の形態では、前記堆積評価部４ａの上には、前記官能評価室６内空間を上下に仕切ることができるように、折り畳みにより開閉可能な板体１０ａ…を屈曲可能に連設して有する塵埃堆積遮断手段としてのシャッタ１０が設けられている。
【００３４】
また、このシャッタ１０によって開閉塞される挿通孔１１の周縁には、少なくとも１側辺に沿って攪拌手段設置部１２が設けられている。
【００３５】
この攪拌手段設置部１２の上面には、前記官能評価室６内の空気を攪拌させる図示省略の攪拌手段としての小型扇風機が、載置可能なように、一定の幅Ｗを有して、構成されている。
【００３６】
次に、この実施の形態の作用について説明する。
【００３７】
この実施の形態では、前記ボックス状筐体２に形成された前記頭部挿入孔８の蓋体９を回動させて開放し、官能評価者が、頭部を、このボックス状筐体２内の官能評価室６内へ挿入することにより、官能評価室６内の空気中に浮遊する塵埃の主観的な官能評価が行われる。
【００３８】
この際、前記攪拌手段設置部１２に設置される小型扇風機等によって、前記官能評価室６内の空気が攪拌されることにより、浮遊する塵埃の密度を、前記官能評価室６内で、略均等とすることができる。
【００３９】
このため、前記官能評価者の頭部の挿入位置に拘わらず、略均等な官能評価を行わせることができる。
【００４０】
しかも、前記官能評価室６は、前記ボックス状筐体２によって、前記外部空間７と隔離されているので、前記小型扇風機による攪拌が行われても、前記官能評価室６内の塵埃の量は変わることがない。
【００４１】
従って、更に、容易に前記官能評価者による官能評価を行わせることができる。
【００４２】
次に、官能評価者は、頭部を前記頭部挿通孔８から抜出して、この頭部挿通孔８に設けられた前記蓋体９を回動させて、閉塞すると、外部空間７から、前記官能評価室６内の空間が、隔離される。
【００４３】
この際、前記官能評価室６内に設けられたシャッタ１０を、図２に示すように開放状態としておくと、官能評価室６内の空間の塵埃は、前記下方の堆積評価部４ａ上面に落下して、堆積する。
【００４４】
一定時間経過後、前記官能評価室６内に設けられたシャッタ１０を、図１に示すように閉塞すると、堆積が停止する。そして、前記堆積評価部４ａの上面に落下した塵埃の堆積量を、器械的な測定装置、例えば、光学的な測定装置を用いて測定し、評価を行う。
【００４５】
例えば、堆積した塵埃が、明度差により測定する測定装置を用いて測定されることにより、前記官能評価者による官能評価と同時に、測定装置による定量測定を、同一被測定対象に対して容易に行える。このため、官能評価と定量測定との比較等も出来、測定精度を向上させることができる。
【００４６】
このように、前記シャッタ１０を開放して、前記官能評価室６内空間内の塵埃を、前記堆積評価部４ａに向けて落下させる際にも、外部との空気の流通が遮断されているので、官能評価室６内外で塵埃の出入りが無く、更に、正確に、被測定対象を、前記官能評価者による官能評価時と一致させることができる。
【００４７】
よって、更に、官能評価者の官能評価と、測定装置による定量測定との比較等を行う際の測定精度を向上させることができる。
【００４８】
このため、例えば、官能評価者が「埃っぽい」と感じる埃の量と、「埃っぽい」と感じない埃の量を定量化して、「埃っぽさ」の閾値を定めることもできる。
【００４９】
以上、図面を参照して、本発明の実施の形態を詳述してきたが、具体的な構成は、この実施の形態に限らず、本発明の要旨を逸脱しない程度の設計的変更は、本発明に含まれる。
【００５０】
即ち、前記実施の形態では、塵埃官能評価装置１が、前記内部容積を１平方ｍとする略立方体形状の官能評価室６を有する略ボックス状のボックス状筐体２によって概略構成されているが、定量測定を行う際に、測定を行い易い形状であれば、例えば、円柱状、直方体形状等、官能評価室６の形状及び、各側面部５…の材質が特に限定されるものではない。
【図面の簡単な説明】
【００５１】
【図１】この発明の最良の実施の形態の塵埃官能評価装置で、シャッタが閉塞されている状態での官能評価室の構成を示す一部断面斜視図である。
【図２】実施例１の塵埃官能評価装置で、シャッタが開放されている状態での官能評価室の構成を示す一部断面斜視図である。
【符号の説明】
【００５２】
１            塵埃官能評価装置
４ａ          堆積評価部
６            官能評価室
７            外部空間
８            頭部挿入孔
９            蓋体
１０          シャッタ（塵埃堆積遮断手段）
１２          攪拌手段設置部
【図１】
2006119043.tif 000003
【図２】
2006119043.tif 000004